(57)【要約】【課題】節水性に優れ簡素な構造を有するトイレ装置を提供する。【解決手段】水を貯留するタンクと、前記タンクに貯留された水を前記タンク外に給水する第１の給水路と、前記第１の給水路に隣接して設けられ、前記タンクに貯留された水を前記タンク外に給水する第２の給水路と、前記タンクの中に設けられ、前記第２の給水路を開閉し、前記第１の給水路に連通する開口を有する第２の弁と、前記第２の弁の上に設けられ、前記開口を開閉する第１の弁と、を備え、前記第２の弁を開くと、前記第１の弁が押動し、前記第１及び第２の給水路を介して前記タンク外に水が給水され、前記第２の弁を閉じた状態で前記第１の弁を開くと、前記第２の給水路は閉じられたまま前記第１の給水路を介して前記タンク外に水が給水されることを特徴とするトイレ装置を提供する。【選択図】図１
2010121411.tif 000002
【特許請求の範囲】
【請求項１】
水を貯留するタンクと、
前記タンクに貯留された水を前記タンク外に給水する第１の給水路と、
前記第１の給水路に隣接して設けられ、前記タンクに貯留された水を前記タンク外に給水する第２の給水路と、
前記タンクの中に設けられ、前記第２の給水路を開閉し、前記第１の給水路に連通する開口を有する第２の弁と、
前記第２の弁の上に設けられ、前記開口を開閉する第１の弁と、
を備え、
前記第２の弁を開くと、前記第１の弁が押動し、前記第１及び第２の給水路を介して前記タンク外に水が給水され、
前記第２の弁を閉じた状態で前記第１の弁を開くと、前記第２の給水路は閉じられたまま前記第１の給水路を介して前記タンク外に水が給水されることを特徴とするトイレ装置。
【請求項２】
前記第１の給水路は、前記第２の給水路に取り囲まれてなることを特徴とする請求項１記載のトイレ装置。
【請求項３】
前記第１の給水路の中心は、前記第２の給水路の中心に対して偏芯していることを特徴とする請求項１記載のトイレ装置。
【請求項４】
リム孔と、ジェット孔と、を有する便器をさらに備え、
前記第１の給水路は、前記リム孔に連通し、
前記第２の給水路は、前記ジェット孔に連通したことを特徴とする請求項１〜３のいずれか１つに記載のトイレ装置。
【請求項５】
前記第１及び第２の弁を開閉させる駆動部と、
前記駆動部の動作を制御する制御部と、
をさらに備え、
前記制御部は、前記第１及び第２の弁を開状態とさせて便器においてサイホンを生じさせた後に、前記第２の弁を閉状態とさせつつ前記第１の弁を開状態とさせて前記便器に封水を充填させることを特徴とする請求項１〜４のいずれか１つに記載のトイレ装置。
【請求項６】
前記第１及び第２の弁を開閉させる駆動部と、
前記駆動部の動作を制御する制御部と、
をさらに備え、
前記制御部は、前記第１の弁を開状態とさせて便器のボウル面に給水させた後に、前記第１及び第２の弁を閉状態とさせて、さらにその後に、前記第１及び第２の弁を開状態とさせて前記便器の洗浄を行わせることを特徴とする請求項１〜４のいずれか１つに記載のトイレ装置。
【請求項７】
前記第１及び第２の弁を開閉させる駆動部と、
前記駆動部の動作を制御する制御部と、
をさらに備え、
前記制御部は、前記第１及び第２の弁を開状態とさせて便器においてサイホンを生じさせた後に、前記第１及び第２の弁を閉状態とさせて前記便器に封水を充填させないことを特徴とする請求項１〜４のいずれか１つに記載のトイレ装置。
【発明の詳細な説明】
【技術分野】
【０００１】
本発明は、トイレ装置に関し、より詳細には、水洗便器に流す洗浄水を貯留するタンクを備えたトイレ装置に関する。
【背景技術】
【０００２】
これまで、複数の洗浄水流路を有する水洗便器に用いられる便器洗浄装置が提案されている。  
例えば、特許文献１では、洗浄水タンクが異なる水頭を有する複数の洗浄水貯留部を備え、前記複数の洗浄系統とこの複数の洗浄系統のそれぞれの所要水頭を有する前記洗浄水貯留部とを連通し、前記洗浄水貯留部の洗浄水の水頭のみにより洗浄水を前記便器本体に供給することを特徴とするロータンク式便器洗浄装置が開示されている。
【０００３】
また、特許文献２では、タンク排出口にリム−ゼット給水分配部を具備し、リム−ゼット給水分配部の底面に開口したゼット給水口を上面から塞ぐように配置されたゼット給水制御弁を、玉鎖を介して大洗浄用排水弁に連繋させることにより、大洗浄時と小洗浄時とでリムとゼットの給水分配比の切り替えが可能になるとしている。
【特許文献１】特許第３１４９９８０号
【特許文献２】特開２００２−８８８８２号公報
【発明の開示】
【発明が解決しようとする課題】
【０００４】
本発明は、節水性に優れ簡素な構造を有するトイレ装置を提供する。
【課題を解決するための手段】
【０００５】
本発明の一態様によれば、水を貯留するタンクと、前記タンクに貯留された水を前記タンク外に給水する第１の給水路と、前記第１の給水路に隣接して設けられ、前記タンクに貯留された水を前記タンク外に給水する第２の給水路と、前記タンクの中に設けられ、前記第２の給水路を開閉し、前記第１の給水路に連通する開口を有する第２の弁と、前記第２の弁の上に設けられ、前記開口を開閉する第１の弁と、を備え、前記第２の弁を開くと、前記第１の弁が押動し、前記第１及び第２の給水路を介して前記タンク外に水が給水され、前記第２の弁を閉じた状態で前記第１の弁を開くと、前記第２の給水路は閉じられたまま前記第１の給水路を介して前記タンク外に水が給水されることを特徴とするトイレ装置が提供される。
【発明の効果】
【０００６】
本発明によれば、節水性に優れ簡素な構造を有するトイレ装置が提供される。
【発明を実施するための最良の形態】
【０００７】
第１の発明は、水を貯留するタンクと、前記タンクに貯留された水を前記タンク外に給水する第１の給水路と、前記第１の給水路に隣接して設けられ、前記タンクに貯留された水を前記タンク外に給水する第２の給水路と、前記タンクの中に設けられ、前記第２の給水路を開閉し、前記第１の給水路に連通する開口を有する第２の弁と、前記第２の弁の上に設けられ、前記開口を開閉する第１の弁と、を備え、前記第２の弁を開くと、前記第１の弁が押動し、前記第１及び第２の給水路を介して前記タンク外に水が給水され、前記第２の弁を閉じた状態で前記第１の弁を開くと、前記第２の給水路は閉じられたまま前記第１の給水路を介して前記タンク外に水が給水されることを特徴とするトイレ装置である。  
このトイレ装置によれば、節水性に優れ簡素な構造を有するトイレ装置が提供される。
【０００８】
第２の発明は、第１の発明において、前記第１の給水路は、前記第２の給水路に取り囲まれてなることを特徴とするトイレ装置である。  
このトイレ装置によれば、構造の簡素化が図られるとともに、給水路内において乱れの少ない水流が形成され得る。
【０００９】
第３の発明は、第１の発明において、前記第１の給水路の中心は、前記第２の給水路の中心に対して偏芯していることを特徴とするトイレ装置である。  
このトイレ装置によれば、構造の簡素化が図られるとともに、給水路内において乱れの少ない水流が形成され得る。
【００１０】
第４の発明は、第１〜第３のいずれか１つの発明において、リム孔と、ジェット孔と、を有する便器をさらに備え、前記第１の給水路は、前記リム孔に連通し、前記第２の給水路は、前記ジェット孔に連通したことを特徴とするトイレ装置である。  
このトイレ装置によれば、リム孔とジェット孔とを備えた便器に好適に適用され得るトイレ装置が提供される。
【００１１】
第５の発明は、第１〜第４のいずれか１つの発明において、前記第１及び第２の弁を開閉させる駆動部と、前記駆動部の動作を制御する制御部と、をさらに備え、前記制御部は、前記第１及び第２の弁を開状態とさせ便器においてサイホンを生じさせた後に、前記第２の弁を閉状態とさせつつ前記第１の弁を開状態とさせて前記便器に封水を充填させることを特徴とするトイレ装置である。  
このトイレ装置によれば、節水性に優れ簡素な構造を有するサイフォンジェット式のトイレ装置が提供される。
【００１２】
第６の発明は、第１〜第４のいずれか１つの発明において、前記第１及び第２の弁を開閉させる駆動部と、前記駆動部の動作を制御する制御部と、をさらに備え、前記制御部は、前記第１の弁を開状態とさせて便器のボウル面に給水させた後に、前記第１及び第２の弁を閉状態とさせて、さらにその後に、前記第１及び第２の弁を開状態とさせて前記便器の洗浄を行わせることを特徴とするトイレ装置である。  
このトイレ装置によれば、便器を使用する前に便器の表面に水膜を形成し、汚れの付着を抑制することができる。
【００１３】
第７の発明は、第１〜第４のいずれか１つの発明において、前記第１及び第２の弁を開閉させる駆動部と、前記駆動部の動作を制御する制御部と、をさらに備え、前記制御部は、前記第１及び第２の弁を開状態とさせて便器においてサイホンを生じさせた後に、前記第１及び第２の弁を閉状態とさせて前記便器に封水を充填させないことを特徴とするトイレ装置である。  
このトイレ装置によれば、便器の掃除や点検などが実施しやすくなる。
【００１４】
以下、図面を参照し、本発明の実施形態について説明する。なお、各図面中、同様の構成要素には同一の符号を付して詳細な説明は適宜省略する。  
図１は、本発明の実施形態に係るトイレ装置を例示する模式斜視図である。  
図２は、本発明の実施形態に係るトイレ装置を例示する模式平面図である。図２（ａ）はトイレ装置全体を例示する模式平面図であり、図２（ｂ）は弁部を例示する模式平面図である。
【００１５】
図３は、図２（ａ）のＡ−Ａ’線断面図である。  
図４は、弁部を例示する図２（ａ）のＡ−Ａ’方向における模式断面図である。図４（ａ）は、図３の弁部を表す模式断面図であり、図４（ｂ）は他の例に係る弁部を表す模式断面図である。  
図５は、図２（ａ）のＢ−Ｂ’線断面図である。
【００１６】
図６は、便器をさらに備えた本発明の実施形態に係るトイレ装置を例示する模式図である。図６（ａ）はこのトイレ装置を例示する模式平面図であり、図６（ｂ）は図６（ａ）のＣ−Ｃ’線断面図である。図６に表した便器は、サイフォンジェット式の水洗便器である。また、図６において、便器２０以外の部分については構成要素を一部省略した。
【００１７】
図１〜図５に表したように、本実施形態に係るトイレ装置１は、水を貯留するタンク２と、水をタンク２の外に供給するための第１の給水路３ａ及び第２の給水路３ｂと、第１及び第２の給水路３ａ、３ｂにそれぞれ設けられた第１の弁４ａ及び第２の弁４ｂと、回転体５と、を備える。第２の弁４ｂは、第２の給水路３ｂを開閉し、第１の給水路３ａに連通する開口を有してよい。また、第１の弁４ａは、第２の弁４ｂの上に設けられ、前記開口を開閉する構成にしてよい。
【００１８】
第１の弁４ａ及び第２の弁４ｂは、リム給水路とジェット給水路とに切り替える親子弁であってよく、あるいは大流量リム給水路と小流量リム給水路とに切り替える親子弁であってもよい。さらに、大流量リム給水でサイホンを発生させ、小流量リム給水ではサイホンを発生させないようにしてもよい。
【００１９】
回転体５は、回転を行い、この回転の回転軸５ｓ以外の部分に設けられた第１及び第２の接続部５ａ、５ｂを有する。そして、第１及び第２の接続部５ａ、５ｂは、それぞれ第１及び第２の弁４ａ、４ｂに接続している。
【００２０】
ここで、第２の弁４ｂは、第１及び第２の弁４ａ、４ｂが閉じた状態から第２の弁４ｂが開くときに第１の弁４ａを押動して開けるように設けられている。つまり、第２の弁４ｂが開くとき、第１弁４ａは連動する。  
回転体５は、回転により第１の弁４ａを開閉することができる。また、回転体５は、回転により第１の弁４ａ及び第２の弁４ｂを開閉することができる。上述した押動動作により、第２の弁４ｂが開いているときは第１の弁４ａも開くことになる。
【００２１】
図３〜図６に表したように、第１及び第２の給水路３ａ、３ｂは、例えば、それぞれサイフォンジェット式水洗便器２０のリム孔２２及びジェット孔２３に供給される水を通すように設けられてよい。
【００２２】
また、図６に表したように、本実施形態に係るトイレ装置１は、第１の給水路３ａと連通する第３の給水路２１ａと、第２の給水路３ｂと連通する第４の給水路２１ｂと、を有する便器２０をさらに備えてよい。便器２０は、サイフォンジェット式便器であってよく、この場合、第３の給水路２１ａはリム孔２２に供給される水を通すように設けられ、第４の給水路２１ｂはジェット孔２３に供給される水を通すように設けられてよい。リム孔２２は、便器のボウル部に向けて開口しており、ボウル面の洗浄のための洗浄水や便器の封水を形成するための水を通す。また、ジェット孔２３は、ボウル部の下流に連なるトラップ部の下流に向けて開口しており、サイフォン現象を促進するための水を通す。なお、リム孔は、洗浄水を、ボウル部の上部開口の周縁に形成したリム部の、ボウル部内に面したリム部内側壁面に沿うように吐出する開口孔であってもよい。
【００２３】
以下、サイフォンジェット式便器に適用される場合を例に取り上げて説明する。このため、第１及び第２の給水路３ａ、３ｂは、それぞれリム給水路３ａ及びジェット給水路３ｂと呼ぶことがあり、他の構成要素についても同様に呼ぶことがある。  
タンク２は、例えば水洗便器に用いられるロータンクであってよく、あるいはハイタンクやその他の任意のタンクであってよい。
【００２４】
図１〜図５に表したように、リム給水路３ａ及びジェット給水路３ｂは、少なくとも上流側において互いに接して設けられてよい。また、図４（ａ）に表したように、少なくとも上流側において、リム給水路３ａが内側である略同心円の形状を有してよい。あるいは、図４（ｂ）に表したようにこれら給水路の中心が異なってもよい。すなわち、リム給水路３ａの中心は、ジェット給水路３ｂの中心に対して偏芯していてよい。また、図１〜図５に表したように、リム給水路３ａ及びジェット給水路３ｂは、それぞれタンク２の底面に設けられた第１及び第２の給水口３ａ、３ｂ（リム給水口３ａ及びジェット給水口３ｂ）であってよい。リム給水路３ａ及びジェット給水路３ｂをこれらのように構成することにより、構造の簡素化が図られる。すなわち、例えば部材において給水路３ａ、３ｂに係る穴を開ける場合に、穴の数を減らすことができる（１本にすることができる）。このため、加工が容易になる。
【００２５】
図１〜図５に表したように、第１及び第２の弁４ａ、４ｂ（リム制御弁４ａ及びジェット制御弁４ｂ）は、それぞれリム給水路３ａ及びジェット給水路３ｂの端部（例えば、上流側の端部）に設けられてよい。あるいは、流路途中に設けられてよい。弁４ａ、４ｂの開閉方向は、接続部５ａ、５ｂとの配置関係等を考慮して適宜選択することができ、例えば流路と略同一の方向であってよく、あるいは図示したように蝶番を用いて流路方向に対して角度を変えながら開閉する構成であってよい。
【００２６】
次に、リム制御弁４ａ及びジェット制御弁４ｂの構成及び動作について、図１〜図５及び図７を参照しつつ説明する。  
本実施形態において、ジェット制御弁４ｂは、リム制御弁４ａ及びジェット制御弁４ｂが閉じた状態からジェット制御弁４ｂが開くときにリム制御弁４ａを押動して開けるように設けられている。
【００２７】
図７は、リム制御弁４ａ及びジェット制御弁４ｂの構成を例示する模式図である。図７（ａ）、（ｃ）、及び（ｅ）は、リム制御弁４ａ及びジェット制御弁４ｂの構成を例示する模式平面図であり、図７（ｂ）、（ｄ）、及び（ｆ）は、それぞれ図７（ａ）、（ｃ）、及び（ｅ）を方向Ｖから見た模式側面図である。
【００２８】
図７（ａ）〜（ｄ）は、図１〜図５に表した弁４ａ及び４ｂの構成である。図７（ａ）及び（ｂ）は図４（ａ）に表した弁４ａ及び４ｂの構成を表し、また図７（ｃ）及び（ｄ）は図４（ｂ）に表した弁４ａ及び４ｂの構成を表している。
【００２９】
図７に表したように、リム制御弁４ａ及びジェット制御弁４ｂは、閉じた状態で、ジェット制御弁４ｂの開閉方向において互いに重なる重複領域４ｔを有し、重複領域４ｔにおいては、リム制御弁４ａがジェット制御弁４ｂより開放側（特に、ジェット制御弁４ｂの開放側）に位置している。そして、リム制御弁４ａ及びジェット制御弁４ｂのいずれもが閉じた状態からジェット制御弁４ｂが開くときに、ジェット制御弁４ｂは重複領域４ｔにおいてリム制御弁４ａと接し、リム制御弁４ａを押動する。この結果、リム制御弁４ａも開くことになる。
【００３０】
なお、図７に表したように、リム制御弁４ａとジェット制御弁４ｂとは、閉じた状態で重複領域４ｔの少なくとも一部において接していてよい。あるいは、接していなくてもよい。また、重複領域４ｔは、押動動作を行い得る限りにおいて任意の形状及び大きさを有してよい。形状としては、平面であってよく、あるいはフック状のものであってよい。また、図７（ａ）〜（ｄ）に表したようにジェット制御弁４ｂは穴４ｈを有してよく、あるいは図７（ｅ）及び（ｆ）に表したように有さなくてもよい。
【００３１】
図１〜図５では、リム制御弁４ａ及びジェット制御弁４ｂは、リム制御弁４ａが開放側に位置して重畳するように設けられている。すなわち、親子弁の構造を有している。かかる構成により、上記押動動作を実現することができる。
【００３２】
次に、回転体５について、図１〜図３及び図５を参照しつつ説明する。  
図１〜図３及び図５に表したように、回転体５は、回転を行い、この回転の回転軸５ｓ以外の部分に設けられた第１及び第２の接続部５ａ、５ｂ（リム接続部５ａ及びジェット接続部５ｂ）を有する。リム接続部５ａ及びジェット接続部５ｂは、それぞれリム制御弁４ａ及びジェット制御弁４ｂに接続している。回転体５は、回転により、リム制御弁４ａのみを開閉し、またはリム制御弁４ａ及びジェット制御弁４ｂを開閉する。前述したように、ジェット制御弁４ｂが開いているときはリム制御弁４ａも開くことになる。
【００３３】
回転体５は、図１〜図３及び図５に表したようにタンク２に設けられてよく、あるいは他の場所に設けられてよい。また、回転軸５ｓは、図示したように略水平であってよく、あるいは他の方向に延在してよい。また、回転体５は、図示したように回転軸５ｓから突出する突出部５ｐを有し、リム接続部５ａ及びジェット接続部５ｂの少なくともいずれかは、突出部５ｐに設けられてよい。あるいは、突出部５ｐを設けずに、接続部５ａ、５ｂを回転体５の軸体に直接設けてもよい。
【００３４】
また、図１〜図３及び図５に表したように、リム制御弁４ａとリム接続部５ａとの接続及びジェット制御弁４ｂとジェット接続部５ｂとの接続の少なくともいずれかは、玉鎖、ワイヤーなどの紐状体６（６ａ、６ｂ）を介してなされてよい。この場合、紐状体６が緊張状態にあるときに弁４（４ａ及び／または４ｂ）が開けられ得、紐状体６が弛緩状態にあるときに弁４が閉じられ得る。紐状体６の緊張状態と弛緩状態との間での変換は、回転体５が回転することにより行われる。また、これら接続は、図示しないが棒状体や歯車などを用いて行ってもよい。
【００３５】
次に、リム接続部５ａ及びジェット接続部５ｂ、並びにリム紐状体６ａ及びジェット紐状体６ｂの構成及び動作について、図１及び図８〜図１１を参照しつつ説明する。  
図８は、接続部５ａ、５ｂ及び紐状体６ａ、６ｂの構成を例示する模式図である。この図は、図１においてＸ軸正側から負側を見たときの、回転体５の回転の回転面を表している。
【００３６】
図９は、接続部５ａ、５ｂ及び紐状体６ａ、６ｂが図８に表したように構成された場合の、回転体５、紐状体６ａ、６ｂ、及び弁４ａ、４ｂの動作を例示する模式断面図である。  
図１０は、接続部５ａ、５ｂ及び紐状体６ａ、６ｂが図８に表したように構成された場合の、弁４ａ、４ｂの制御態様を例示する模式図である。  
図１１は、接続部５ａ、５ｂ及び紐状体６ａ、６ｂが図８に表したように構成された場合の、トイレ装置１の他の構成を例示する模式図である。
【００３７】
図８に表したように、リム接続部５ａ及びジェット接続部５ｂは、回転面において、リム接続部５ａと、回転軸５ｓと、ジェット接続部５ｂと、のなす角が略１８０度になるように構成されてよい。これは、図１〜図３及び図５に表した構成と同じ構成である。
【００３８】
この場合、図９（ａ）に表したように、接続部５ａ及び５ｂがＺ軸方向（略鉛直方向）においてそれぞれ範囲Ｒａ及び範囲Ｒｂの位置にあるとき（例えば、両者が略同一の位置にあるとき）にそれぞれ紐状体６ａ及び６ｂが弛緩状態になるように、紐状体６ａ、６ｂを設けることができる。
【００３９】
また、図９（ｂ）に表したように、ジェット接続部５ｂがＺ軸正側に移動して範囲Ｒｂから逸脱するとジェット紐状体６ｂがジェット制御弁４ｂ（及び押動動作によりリム制御弁４ａ）を開放できる程度に緊張するように、ジェット紐状体６ｂを設けることができる。
【００４０】
また、図９（ｃ）に表したように、リム接続部５ａがＺ軸正側に移動して範囲Ｒａから逸脱するとリム紐状体６ａがリム制御弁４ａを開放できる程度に緊張するように、リム紐状体６ａを設けることができる。
【００４１】
範囲Ｒａ及びＲｂは、同じ値でもよく、異なる値でもよい。これら値は、紐状体６ａ及び６ｂが弛緩する状態（第１の状態）、少なくとも紐状体６ｂが緊張する状態（第２の状態）、及び紐状体６ａのみが緊張する状態（第３の状態）の全てを発現し得る限りにおいて任意の値に設定することができる。
【００４２】
このように構成することにより、回転体５は、リム制御弁４ａ及びジェット制御弁４ｂが閉じた状態において第１の方向（例えば、左回りの方向）に回転するとリム制御弁４ａ及びジェット制御弁４ｂを開け、リム制御弁４ａ及びジェット制御弁４ｂが閉じた状態において第２の方向（例えば、右回りの方向）に回転するとリム制御弁４ａのみを開けることができる。  
かかる動作を利用することにより、弁４ａ、４ｂを様々な態様で制御することができる。
【００４３】
図１に表したように、本実施形態に係るトイレ装置１は、回転体５の駆動を行う駆動部Ｄと、駆動部Ｄを制御する制御部Ｃと、をさらに備えることができる。制御部Ｃは、リム制御弁４ａ及びジェット制御弁４ｂのいずれもが閉じられた第１の状態と、リム制御弁４ａ及びジェット制御弁４ｂのいずれもが開けられた第２の状態と、リム制御弁４ａは開けられジェット制御弁４ｂは閉じられた第３の状態と、の間を直接的または間接的に可逆的に切り換えるように駆動部Ｄに指示を行うことができる。  
駆動部Ｄは、例えばモータであってよい。また、制御部Ｃは、駆動部Ｄに設けられてよい。
【００４４】
第１の状態では、便器に水が供給されない。このため、第１の状態は不使用時等において発現されてよい。  
第２の状態では、リム流及びジェット流が供給される。このため、第２の状態は便器を洗浄する時に発現されてよい。第２の状態が継続する時間は、２つ以上の時間、例えば３つの時間から選択されてよい。これにより、便器に供給される水の量を多段階（例えば、大小、大中小（比率としては、例えば６：５：４）など）に設定することができる。  
第３の状態では、リム流のみ供給される。このため、第３の状態は便器の封水を形成する時や便器のボウル部を洗浄する時に発現されてよい。第３の状態が継続する時間は、便器の封水を形成するのに十分な時間または便器のボウル部を洗浄するのに十分な時間であってよい。
【００４５】
図９に表した動作において、制御部Ｃが、接続部５ａ及び５ｂがＺ軸方向において例えば略同一の位置になるように回転体５を回転するよう駆動部Ｄに指示を行うことにより、第１の状態が実現される（図９（ａ））。  
また、制御部Ｃが、回転体５を左回りに回転するよう駆動部Ｄに指示を行うことにより、第２の状態が実現され得る（図９（ｂ））。  
また、制御部Ｃが、回転体５を右回りに回転するよう駆動部Ｄに指示を行うことにより、第３の状態が実現され得る（図９（ｃ））。
【００４６】
これら動作により、例えば図１０に表した制御が可能となる。すなわち、制御部Ｃは、第２の状態と、第１の状態と、第３の状態と、をこの順に発現するように駆動部Ｄに指示を行うことができる。
【００４７】
図１０に表したように、時間帯（１）においては、リム制御弁４ａ及びジェット制御弁４ｂは閉じられ、第１の状態となる。その後、洗浄時である時間帯（２）においては、回転体５が左回りに回転し、リム制御弁４ａ及びジェット制御弁４ｂは開かれ、第２の状態になる。その後、時間帯（３）においては、回転体５は逆回転し（右回りに回転し）、リム制御弁４ａ及びジェット制御弁４ｂは閉じられ、第１の状態になる。その後、リフィル時である時間帯（４）においては、回転体５はさらに右回りに回転し、リム制御弁４ａのみが開かれ、第３の状態になる。なお、「リフィル」とは、便器の封水を形成するための水を便器に供給することである。その後、時間帯（５）においては、回転体５は逆回転し（左回りに回転し）、第１の状態となる。すなわち、制御部Ｃは、リム制御弁４ａ及びジェット制御弁４ｂを開状態とさせて便器においてサイホンを生じさせた後に、ジェット制御弁４ｂを閉状態とさせつつリム制御弁４ａを開状態とさせて便器に封水を充填させることができる。
【００４８】
なお、回転軸５ｓは、これまで図示してきたように蝶番を有する弁４ａ、４ｂの回転面（ＸＺ平面）上にあってよく、あるいは図１１（ａ）に表したようにＸＺ平面に対して略垂直であってよい。この場合も、図１１（ｂ）に表したように上記と同様の動作及び制御が可能となる。
【００４９】
本実施形態に係るトイレ装置１は、図１に表したように、水の供給の必要性及び水の供給態様を決める情報（以下、「水供給情報」という）を取得する情報取得手段Ａをさらに備えてよい。この場合、制御部Ｃは、駆動部Ｄに指示を行う場合の少なくとも一部において、情報取得手段Ａが取得した情報を用いることができる。
【００５０】
情報取得手段Ａは、水供給情報の基となる第１の原情報を検知する検知手段Ｓを有してよい。第１の原情報は、例えば利用者の着座時間であってよい。
【００５１】
また、情報取得手段Ａは、利用者が水供給情報の基となる第２の原情報を入力する入力手段Ｅを有してよい。入力手段Ｅは、便器や壁などに付設されてよく、あるいはリモコンの形態を有してよい。利用者は、入力手段Ｅのボタンを押すなどにより、便器への水の供給態様を選択することができる。
【００５２】
検知手段Ｓと入力手段Ｅとを併有した場合、情報取得手段Ａは、第１及び第２の原情報を用いて水供給情報を取得することができる。この場合、第１の原情報と第２の原情報との間で齟齬が生じる場合には、第２の原情報を優先するように構成してよい。例えば、第１の原情報（検知情報）によれば便器に供給する水の量は多くすべきと判断される一方、第２の原情報（入力情報）によれば便器に供給すべき水の量は少なくてよいと判断される場合には、第２の原情報に基づいて水供給情報を取得してよい。これにより、制御部Ｃはこの水供給情報を基に、駆動部Ｄに対し適切な指示を行うことができる。この結果、適切な水量で水が供給される。
【００５３】
なお、情報取得手段Ａ、検知手段Ｓ、及び／又は入力手段Ｅが制御部Ｃを遠隔操作する構成にしてもよい。
【００５４】
（本実施形態の効果）
次に、本実施形態の効果について、図１２を参照しつつ説明する。  
図１２は、本実施形態と対比される比較例に係るトイレ装置を表した模式断面図である。このトイレ装置２００は、サイフォンジェット式水洗便器に用いられる。
【００５５】
図１２に表したように、比較例に係るトイレ装置２００は、ボールタップにより分岐された２つの給水路を有する（タンク給水路２０１及びリフィル給水路２０２）。タンク給水路２０１には、タンクに供給する水が流れる。一方リフィル給水路２０２には、便器のリフィルに用いられる水が流れる。すなわち、リフィル用の水は、タンクを経由せずに、直接水道管などから供給される。
【００５６】
かかる構成において、タンクから便器へ洗浄水を流して便器の洗浄を行った場合、ボールタップの浮玉（図示せず）及びオーバーフロー管の機能により、タンク内に水が供給される。以下、洗浄水の量が少量であるときにはタンク給水に６０秒要し、多量であるときには７５秒要する場合を例に取り上げて説明する。
【００５７】
ここで、一般に、リフィルに係る流量は、洗浄水が少量であるときのタンク給水に要する時間だけ経過すれば十全に封水が形成されるように設定される。この設定は、流路抵抗を調節することにより行われる。このように設定することにより、洗浄水が少量である場合も多量である場合も、換言すればタンク給水時間が短い場合も長い場合も、封水が十全に形成される。このため、本事例では、タンク給水が６０秒間なされれば、リフィルは十全になされるように構成されていると仮定する。
【００５８】
なお、リフィルに要する水量は、通常は洗浄水の量に関係なく一定である。洗浄水の量に関係なく、サイフォン現象によりボウル内の水はほぼ全て排出され、洗浄後のボウル面の水量は同等になるからである。
【００５９】
図１２（ａ）に表したように、洗浄水が少量である場合には、タンク給水に６０秒要することから、タンク給水路２０１には６０秒間水が流れる。この時、同時にリフィル給水路２０２にも６０秒間水が流れる。これにより、便器の封水が適切に形成される。
【００６０】
一方、図１２（ｂ）に表したように、洗浄水が多量である場合には、タンク給水に７５秒要することから、タンク給水路２０１には７５秒間水が流れる。この時、同時にリフィル給水路２０２にも７５秒間水が流れる。この場合も、便器の封水は十全に形成される。しかし、６０秒間給水された時点で既に封水は適切に形成されていることから、残余の１５秒の間に流れた水は無駄に供給されたことになる。  
このように、比較例においては、タンクからの排水量に差があると無駄水が生じ、排水量の差が大きくなると無駄水は増加する。
【００６１】
これに対し、本実施形態に係るトイレ装置１は、封水形成に必要な水の量（換言すれば、第３の状態が継続している時間）は制御部Ｃなどにより独自に制御することができ、洗浄水の量やタンクの水位に依存しない。これにより、上述した無駄水に係る問題が解消され、節水性の向上が図られる。また、２つの弁（弁４ａ及び４ｂ）を用いるなどにより、構造が簡素なものとなっている。このため、費用の抑制や装置の信頼性向上が図られる。
このように、本実施形態によれば、節水性に優れ簡素な構造を有するトイレ装置が提供される。
【００６２】
（本実施形態の他の構成及び制御）
次に、本実施形態に係るトイレ装置１の他の制御について、図１３及び図１４を参照しつつ説明する。  
図１３及び図１４は、接続部５ａ、５ｂ及び紐状体６ａ、６ｂが図８に表したように構成された場合の、弁４ａ、４ｂの他の制御態様を例示する模式図である。
【００６３】
図１３に表したように、制御部Ｃは、第２の状態と、第１の状態と、をこの順に発現するように駆動部Ｄに指示を行うことができる。この場合、第３の状態は発現されず、便器内に封水は形成されない。すなわち、制御部Ｃは、リム制御弁４ａ及びジェット制御弁４ｂを開状態とさせて便器においてサイホンを生じさせた後に、リム制御弁４ａ及びジェット制御弁４ｂを閉状態とさせて便器に封水を充填させないようにすることができる。従って、このような制御態様は、便器の掃除や点検などを行う際に好適に用いることができる（お掃除モード）。
【００６４】
かかる動作は、制御部Ｃが駆動部Ｄに対して、図１０に関して前述した指示において時間帯（４）及び（５）に係る指示を削除した指示を行うことによって実現される。
【００６５】
また、図１４に表したように、制御部Ｃは、図１０や図１３に関して前述した制御等において、第２の状態の前に、第３の状態をさらに発現するように駆動部Ｄに指示を行うことができる。すなわち、制御部Ｃは、リム制御弁４ａを開状態とさせて便器のボウル面に給水させた後に、リム制御弁４ａ及びジェット制御弁４ｂを閉状態とさせて、さらにその後に、リム制御弁４ａ及びジェット制御弁４ｂを開状態とさせて便器の洗浄を行わせることができる。これにより、「プレ洗浄」がなされる。すなわち、便器を使用する前に便器の表面に水膜を形成し、汚れの付着を抑制することができる。この場合、検知手段Ｓを用いて利用者が着座したことを検知して、自動的にプレ洗浄がなされる構成にすることができる。
【００６６】
かかる動作は、制御部Ｃが駆動部Ｄに対して、図１０や図１３などの指示において時間帯（１）の前に、回転体５を右回りに回転する旨の指示を行うことによって実現される。
【００６７】
次に、本実施形態に係るトイレ装置１の他の構成及び制御について、図１５〜図１７を参照しつつ説明する。  
図１５は、接続部５ａ、５ｂ及び紐状体６ａ、６ｂの別の構成を例示する模式図である。この図は、図８と同様に、図１においてＸ軸正側から負側を見たときの、回転体５の回転の回転面を表している。
【００６８】
図１６は、接続部５ａ、５ｂ及び紐状体６ａ、６ｂが図１５に表したように構成された場合の、回転体５、紐状体６ａ、６ｂ、及び弁４ａ、４ｂの動作を例示する模式断面図である。  
図１７は、接続部５ａ、５ｂ及び紐状体６ａ、６ｂが図１５に表したように構成された場合の、弁４ａ、４ｂの制御態様を例示する模式図である。
【００６９】
図１５に表したように、リム接続部５ａ及びジェット接続部５ｂは、回転面において、リム接続部５ａと、回転軸５ｓと、ジェット接続部５ｂと、のなす角が略９０度になるように構成されてよい。例えば、回転軸５ｓを原点としてＺ軸負側方向に接続部５ａを配置し、Ｙ軸正側方向に接続部５ｂを配置することができる。
【００７０】
この場合、図１５（ａ）〜（ｃ）に表したように、接続部５ａ及び接続部５ｂがＺ軸方向においてそれぞれ範囲Ｒａ及びＲｂに位置にあるときにそれぞれ紐状体６ａ及び６ｂが弛緩状態になり、これら範囲を逸脱すると緊張状態になるようにすることができる。
【００７１】
これにより、回転体５は、リム制御弁４ａ及びジェット制御弁４ｂが閉じた状態において第１の方向（例えば、左回りの方向）に回転するとリム制御弁４ａ及びジェット制御弁４ｂを開け、さらに第１の方向に回転するとジェット制御弁４ｂのみを閉じることができる。
【００７２】
すなわち、図１６（ａ）に表したように、接続部５ａが例えば回転軌道の下端近傍にあるときに紐状体６ａ及び６ｂは弛緩状態になり、弁４ａ及び４ｂは閉じられた状態になる。この結果、第１の状態が実現される。
【００７３】
また、図１６（ｂ）に表したように、接続部５ｂが例えば回転軌道の上端近傍にあるときに紐状体６ｂは緊張状態になり、弁４ａ及び４ｂは開かれた状態になる。この結果、第２の状態が実現される。
【００７４】
また、図１６（ｃ）に表したように、接続部５ａが例えば回転軌道の上端近傍にあるときに紐状体６ａのみが緊張状態になり、弁４ａのみが開かれた状態になる。この結果、第３の状態が実現される。
【００７５】
かかる動作を行うことにより、図１７に表した制御が可能となる。すなわち、制御部Ｃは、第２の状態と、第３の状態と、第１の状態と、をこの順に発現するように駆動部Ｄに指示を行うことができる。
【００７６】
図１７に表したように、時間帯（１）においては、図１７（ｃ）の状態により第１の状態となる。その後、洗浄時である時間帯（２）においては、回転体５が左回りに回転し図１７（ｄ）の状態になり、第２の状態になる。その後、リフィル時である時間帯（３）においては、回転体５はさらに左回りに回転し図１７（ｅ）の状態になり、第３の状態になる。その後、時間帯（４）においては、回転体５はさらに左回りに回転し、第１の状態に戻る。
【００７７】
次に、本実施形態に係るトイレ装置１のさらに別の構成及び制御について、図１８及び図１９を参照しつつ説明する。
【００７８】
本実施形態において、接続部５ａ、５ｂは、第１の状態と、第２の状態と、第３の状態と、の間を直接的または間接的に可逆的に切り換えることのできる限りにおいて、任意の位置に設けることができる。また、紐状体６を用いた場合には、紐状体６ａ、６ｂ及び範囲Ｒａ、Ｒｂは、第１の状態と、第２の状態と、第３の状態と、の間を直接的または間接的に可逆的に切り換えることのできる限りにおいて、任意の位置・態様で設け、設定することができる。すなわち、リム紐状体６ａ及びジェット紐状体６ｂのいずれもが弛緩状態にある場合（第１の状態）と、少なくともジェット紐状体６ｂがジェット制御弁４ｂを開放できる程度に緊張状態にある場合（第２の状態）と、リム紐状体６ａはリム制御弁４ａを開放できる程度に緊張状態にありジェット紐状体６ｂは弛緩状態にある場合（第３の状態）と、が実現できる限りにおいて、任意の位置・態様で設け、設定することができる。なお、第２の状態については、前述した押動動作によりジェット制御弁４ｂが開けられているときは同時にリム制御弁４ａも開けられているため、少なくともジェット紐状体６ｂがジェット制御弁４ｂを開放できる程度に緊張状態にあれば第２の状態が実現され得る。
【００７９】
以下、紐状体６を用いた場合を例に取り上げて説明する。  
図１８及び図１９は、接続部５ａ、５ｂ及び紐状体６ａ、６ｂのさらに別の構成を例示する模式図である。これらの図は、図８と同様に、図１においてＸ軸正側から負側を見たときの、回転体５の回転の回転面を表している。
【００８０】
接続部５ａ及び５ｂは、回転面において同じ位置に設けられてよく、あるいはこれまで説明してきたように異なる位置に設けられてよい。また、接続部５ａ及び５ｂの回転半径は、同じであっても異なってもよい。
【００８１】
図１８（ａ）に表したように、リム接続部５ａとジェット接続部５ｂとは、回転面において略同じ位置に設けられてよい。この場合、リム紐状体６ａ及びジェット紐状体６ｂの長さを異ならせる（リム紐状体６ａを相対的に短くする）などにより、回転体５の回転中にそれぞれが緊張状態になるタイミングを異ならせることができる。換言すれば、範囲Ｒａの上端が範囲Ｒｂの上端より低くなるように設定する。これにより、前述した３状態が実現され得る。
【００８２】
すなわち、まず、リム紐状体６ａ及びジェット紐状体６ｂのいずれもが弛緩状態にあるときには、図１８（ａ）に表したように第１の状態が実現される。その後、回転体５が左回りに回転すると、図１８（ｂ）に表したように、接続部５ａ及び５ｂはＺ軸正側に移動する。この場合、リム紐状体６ａが相対的に短いため、最初にリム紐状体６ａが緊張状態になる。これにより、第３の状態が実現され得る。その後、さらに回転体５が左回りに回転し接続部５ａ及び５ｂがさらにＺ軸正側に移動すると、ジェット紐状体６ｂも緊張状態になる。これにより、第２の状態が実現され得る。その後、さらに回転体５が左回りに回転すると、あるいは回転体５が逆回りに回転すると、接続部５ａ及び５ｂはＺ軸負側に移動し、第３の状態及び第１の状態がこの順に実現され得る。
【００８３】
また、図１９（ａ）に表したように、リム接続部５ａ及びジェット接続部５ｂは、回転軸５ｓから略同じ方向に延在する線上の位置であって回転半径の異なる位置に、より詳細には、リム接続部５ａの回転半径の方が相対的に大きくなるように、設けられてよい。この場合も、図１８に関して前述したように、紐状体６ａ及び６ｂの長さを異ならせるなどにより前述した３状態を実現することができる。また、紐状体６ａ及び６ｂの長さが略同一であっても、接続部５ａ及び５ｂの回転半径が異なるため、回転体５の回転中に紐状体６ａ及び６ｂが緊張状態になるタイミングを異ならせることができる。すなわち、回転体５が左回りに回転すると、図１９（ｂ）に表したように、同じ回転角だけ移動したにもかかわらずリム接続部５ａは相対的に大きな距離だけ移動する（距離Ｌａ＞距離Ｌｂ）。この結果、リム紐状体６ａの方が先に緊張状態になる。その後、さらに回転体５が左回りに回転し接続部５ａ及び５ｂがさらにＺ軸正側に移動すると、ジェット紐状体６ｂも緊張状態になる。このようにして、第１の状態、第３の状態、及び第２の状態がこの順で実現され得る。その後、さらなる回転または逆回転により、これら状態が逆の順で実現され得る。
【００８４】
なお、上記において、接続部５ａ、５ｂを回転軸５ｓを基準に対称の位置に設け、回転を逆にすることにより、同様の動作を実現することができる。
【００８５】
次に、本実施形態に係るトイレ装置１のさらに別の構成について、図２０を参照しつつ説明する。  
図２０は、本実施形態に係るトイレ装置のさらに別の構成を例示する模式斜視図である。
【００８６】
本実施形態に係るトイレ装置１は、回転体５の回転を行うための道具Ｔをさらに備えてよい。道具Ｔとしては、例えば、つまみ、取っ手（ハンドル、レバー等を含む）、引き紐、ボタン、ペダル等が挙げられる。この場合、利用者は、道具Ｔを用いて手動で洗浄水や封水用の水を供給することができる。水量は、道具Ｔが作動する時間を変えることにより調節することができる。
【００８７】
道具Ｔは、前述した情報取得手段Ａ、制御部Ｃ、及び駆動部Ｄと併用することができる。この場合、通常は制御部Ｃ等を用いて洗浄水等を供給し、停電時は道具Ｔを用いて手動で洗浄水等を供給することができる。
【００８８】
なお、これまで主にサイフォンジェット型の水洗便器を用いて説明してきたが、本実施形態に係るトイレ装置は、２つの給水路を有する任意の水洗便器に適用することができる。
【００８９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００９０】
【図１】本発明の実施形態に係るトイレ装置を例示する模式斜視図である。
【図２】本発明の実施形態に係るトイレ装置を例示する模式平面図である。
【図３】図２（ａ）のＡ−Ａ’線断面図である。
【図４】弁部を例示する図２（ａ）のＡ−Ａ’方向における模式断面図である。
【図５】図２（ａ）のＢ−Ｂ’線断面図である。
【図６】便器をさらに備えた本発明の実施形態に係るトイレ装置を例示する模式図である。
【図７】リム制御弁４ａ及びジェット制御弁４ｂの構成を例示する模式図である。
【図８】接続部５ａ、５ｂ及び紐状体６ａ、６ｂの構成を例示する模式図である。
【図９】接続部５ａ、５ｂ及び紐状体６ａ、６ｂが図８に表したように構成された場合の、回転体５、紐状体６ａ、６ｂ、及び弁４ａ、４ｂの動作を例示する模式断面図である。
【図１０】接続部５ａ、５ｂ及び紐状体６ａ、６ｂが図８に表したように構成された場合の、弁４ａ、４ｂの制御態様を例示する模式図である。
【図１１】接続部５ａ、５ｂ及び紐状体６ａ、６ｂが図８に表したように構成された場合の、トイレ装置１の他の構成を例示する模式図である。
【図１２】本実施形態と対比される比較例に係るトイレ装置を表した模式断面図である。
【図１３】接続部５ａ、５ｂ及び紐状体６ａ、６ｂが図８に表したように構成された場合の、弁４ａ、４ｂの他の制御態様を例示する模式図である。
【図１４】接続部５ａ、５ｂ及び紐状体６ａ、６ｂが図８に表したように構成された場合の、弁４ａ、４ｂの他の制御態様を例示する模式図である。
【図１５】接続部５ａ、５ｂ及び紐状体６ａ、６ｂの別の構成を例示する模式図である。
【図１６】接続部５ａ、５ｂ及び紐状体６ａ、６ｂが図１５に表したように構成された場合の、回転体５、紐状体６ａ、６ｂ、及び弁４ａ、４ｂの動作を例示する模式断面図である。
【図１７】接続部５ａ、５ｂ及び紐状体６ａ、６ｂが図１５に表したように構成された場合の、弁４ａ、４ｂの制御態様を例示する模式図である。
【図１８】接続部５ａ、５ｂ及び紐状体６ａ、６ｂのさらに別の構成を例示する模式図である。
【図１９】接続部５ａ、５ｂ及び紐状体６ａ、６ｂのさらに別の構成を例示する模式図である。
【図２０】本実施形態に係るトイレ装置のさらに別の構成を例示する模式斜視図である。
【符号の説明】
【００９１】
１  トイレ装置、２  タンク、３ａ  第１の給水路、リム給水路、３ｂ  第２の給水路、ジェット給水路、４ａ  第１の弁、リム制御弁、４ｂ  第２の弁、ジェット制御弁、４ｈ  穴、４ｔ  重複領域、５  回転体、５ａ  第１の接続部、リム接続部、５ｂ  第２の接続部、ジェット接続部、５ｐ  突出部、５ｓ  回転軸、６ａ  紐状体、リム紐状体、６ｂ  紐状体、ジェット紐状体、２０  便器、２１ａ  第３の給水路、２１ｂ  第４の給水路、２２  リム孔、２３  ジェット孔、２００  トイレ装置、２０１  タンク給水路、２０２  リフィル給水路、Ａ  情報取得手段、Ｃ  制御部、Ｄ  駆動部、Ｅ  入力手段、Ｌａ  距離、Ｌｂ  距離、Ｒａ  範囲、Ｒｂ  範囲、Ｓ  検知手段、Ｔ  道具、Ｖ  方向
【図１】
2010121411.tif 000003
【図２】
2010121411.tif 000004
【図３】
2010121411.tif 000005
【図４】
2010121411.tif 000006
【図５】
2010121411.tif 000007
【図６】
2010121411.tif 000008
【図７】
2010121411.tif 000009
【図８】
2010121411.tif 000010
【図９】
2010121411.tif 000011
【図１０】
2010121411.tif 000012
【図１１】
2010121411.tif 000013
【図１２】
2010121411.tif 000014
【図１３】
2010121411.tif 000015
【図１４】
2010121411.tif 000016
【図１５】
2010121411.tif 000017
【図１６】
2010121411.tif 000018
【図１７】
2010121411.tif 000019
【図１８】
2010121411.tif 000020
【図１９】
2010121411.tif 000021
【図２０】
2010121411.tif 000022